(57)【要約】  照明装置固定部材（１）は、建造物躯体から鉛直下方向に延設された複数のアンカーボルトＢを用いて照明装置（１００）を室内天井面Ｃに取り付けるために、室内天井面Ｃに設けられた開口部Ｗ近傍に二つ一組で設置される。照明装置固定部材（１）は、複数のアンカーボルトＢのうちの一本のアンカーボルトＢが挿通されるアンカーボルト取付孔（５）が設けられた平板状の基部（２）と、基部（２）の両側辺部に設けられた二つの当接部（３ａ）、（３ｂ）とを備える。照明装置（１００）に設けられたＶ字ばね（４０）を掛止する左右一対のＶ字ばね取付孔（４ａ）、（４ｂ）が基部（２）の両側辺部に沿って対称に設けられており、アンカーボルト取付孔（５）に一本のアンカーボルトＢを挿通して照明装置固定部材（１）を一本のアンカーボルトＢに固定したときに、二つの当接部（３ａ）、（３ｂ）が開口部Ｗの対向する二つの端縁部にそれぞれ当接する。
2017150647.tif 000002
【特許請求の範囲】
【請求項１】
建造物躯体から鉛直下方向に延設された複数のアンカーボルトを用いて照明装置を室内天井面に取り付けるために、前記室内天井面に設けられた開口部近傍に二つ一組で設置される照明装置固定部材であって、  前記複数のアンカーボルトのうちの一本のアンカーボルトが挿通されるアンカーボルト取付孔が設けられた平板状の基部と、該基部の両側辺部に設けられた二つの当接部とを備え、  前記照明装置に設けられたＶ字ばねを掛止する左右一対のＶ字ばね取付孔が前記基部の前記両側辺部に沿って対称に設けられており、  前記アンカーボルト取付孔に前記一本のアンカーボルトを挿通して前記照明装置固定部材を前記一本のアンカーボルトに固定したときに、前記二つの当接部が前記開口部の対向する二つの端縁部にそれぞれ当接することを特徴とする照明装置固定部材。
【請求項２】
前記アンカーボルト取付孔から前記左右一対のＶ字ばね取付孔のそれぞれまでの距離が等しく、かつ前記アンカーボルト取付孔が前記左右一対のＶ字ばね取付孔のそれぞれの中心を結んだ仮想線と重ならずオフセットしていることを特徴とする、請求項１に記載の照明装置固定部材。
【請求項３】
前記アンカーボルト取付孔から前記左右一対のＶ字ばね取付孔のそれぞれの中心を結んだ仮想線までの垂線距離が５０ｍｍであることを特徴とする、請求項２に記載の照明装置固定部材。
【請求項４】
前記当接部が、前記基部において前記アンカーボルト取付孔が位置している側に突出するように延伸されていることを特徴とする、請求項１〜３のいずれか１項に記載の照明装置固定部材。
【請求項５】
請求項１〜４のいずれか１項に記載の照明装置固定部材を二つ用いて一つの照明装置を天井面に取り付けた照明システム。
【発明の詳細な説明】
【技術分野】
【０００１】  本発明は、照明装置を建造物躯体から鉛直下方向に延設されたアンカーボルトに取り付けるための照明装置固定部材及びそれを用いた照明システムに関する。
【背景技術】
【０００２】  近年、発光ダイオード（ＬＥＤ；Ｌｉｇｈｔ  Ｅｍｉｔｔｉｎｇ  Ｄｉｏｄｅ）等の発光素子を光源として用いる照明装置が普及している。そのような照明装置として、例えば板状の導光板の側端面に対向して線状に配列されたＬＥＤ光源を配置して導光板内に光を入射し、光源の配置された側端面に隣接する二面の平板面のいずれかから光を外部に射出して面状に発光させる、平板形状の照明装置が知られている。【０００３】  このような照明装置を天井に設置する場合、例えば特許文献１に開示されているように、天井に開口部を設け、電源等の収納される照明装置固定部材を開口部内のアンカーボルトに取り付け、その照明装置固定部材に設けられた取付金具に、照明装置（発光部ユニット）のフレーム部材上に配置されているＶ字ばねを引っ掛けて照明装置を照明装置固定部材に固定する構造が知られている。このような構造の場合、まずＶ字ばねの先端部をＶ字が閉じるように握って先端部のみを取付金具に引っ掛けて仮固定状態とし、この状態で照明装置と天井面との間から手を伸ばして照明装置と電源とを繋ぐ配線作業等を行い、作業完了後に照明装置を押し上げるとＶ字ばねの付勢力によって照明装置が天井面に固定される。
【先行技術文献】
【特許文献】
【０００４】
【特許文献１】特開２０１３−０９６４５７
【発明の概要】
【発明が解決しようとする課題】
【０００５】  天井面に照明装置を設ける際には、照明装置が容易に落下することがないだけの十分な剛性や安定性といった取付性能を持った照明装置固定部材が求められる。そのため、従来の照明装置固定部材は天井面に設けられた開口部とほぼ同じくらいの大きさを有しているのが通常であるが、その一方で、照明装置固定部材の軽量化やコストダウンを図りたいという要求がある。【０００６】  また、アンカーボルトは一般的にアンカーボルト間の間隔（アンカーボルトピッチ）が８００ｍｍ又は６００ｍｍとなるように建造物躯体から鉛直下方向に延設されていることが多い。例えばアンカーボルトピッチが８００ｍｍである建造物の天井面に照明装置を設置する場合、使用する照明装置固定部材にはアンカーボルトを挿通させるための取付孔が二つ設けられており、この二つの取付孔間の距離が８００ｍｍとなっていることになる。このような８００ｍｍ間隔で設けられた二つの取付孔を、アンカーボルトピッチが６００ｍｍである建造物の天井面に照明装置を設置するときに使用することは当然できず、アンカーボルトピッチが６００ｍｍである建造物の天井面に照明装置を設置する場合には、別途６００ｍｍのアンカーボルトピッチ対応の照明装置固定部材を用意しておくか、あるいはアンカーボルトピッチが８００ｍｍであっても６００ｍｍであっても対応できるように全部で四つの取付孔を設けておかなければならないという問題もある。【０００７】  本発明は、このような点に鑑みてなされたものであり、軽量化及びコストダウンにつながる構造を有する照明装置固定部材を提供することを目的とする。また、軽量化及びコストダウンにつながる構造でありながら、異なる二つのアンカーボルトピッチに対応することが可能な構造を有する照明装置固定部材を提供することを目的とする。
【課題を解決するための手段】
【０００８】  上記目的を達成するために、第一に本発明は、建造物躯体から鉛直下方向に延設された複数のアンカーボルトを用いて照明装置を室内天井面に取り付けるために、前記室内天井面に設けられた開口部近傍に二つ一組で設置される照明装置固定部材であって、前記複数のアンカーボルトのうちの一本のアンカーボルトが挿通されるアンカーボルト取付孔が設けられた平板状の基部と、該基部の両側辺部に設けられた二つの当接部とを備え、前記照明装置に設けられたＶ字ばねを掛止する左右一対のＶ字ばね取付孔が前記基部の前記両側辺部に沿って対称に設けられており、前記アンカーボルト取付孔に前記一本のアンカーボルトを挿通して前記照明装置固定部材を前記一本のアンカーボルトに固定したときに、前記二つの当接部が前記開口部の対向する二つの端縁部にそれぞれ当接することを特徴とする照明装置固定部材を提供する（発明１）。【０００９】  照明装置が容易に落下することがないだけの十分な剛性や安定性といった取付性能を維持できるのであれば、必ずしも従来のように照明装置固定部材を天井面に設けられた開口部とほぼ同じくらいの大きさとする必要はない。そこで本発明者らは、照明装置固定部材を二つ一組で用いて照明装置を吊持することで、それぞれの照明装置固定部材の大きさを小さくすることにより軽量化を図り、製造コストを低減することに想到した。上記発明（発明１）によれば、左右一対のＶ字ばね取付孔を有する一つの照明装置固定部材が一本のアンカーボルトに取り付けられ、これを二つ一組で用いて照明装置の合計四つのＶ字ばねを掛止して照明装置を室内天井面に設置する際に、照明装置固定部材の両側の当接部が室内天井面に設けられた開口部の端縁部に当接し、この状態で当接部を開口部の端縁部に固定することができるため、照明装置の重さをアンカーボルトのみならず室内天井面の開口部の端縁部を含む合計三箇所で安定的に支えることができる。そのため、従来同様の取付性能を維持したまま、それぞれの照明装置固定部材の大きさを小さくすることにより軽量化を図り、製造コストを低減することができる。【００１０】  上記発明（発明１）においては、前記アンカーボルト取付孔から前記左右一対のＶ字ばね取付孔のそれぞれまでの距離が等しく、かつ前記アンカーボルト取付孔が前記左右一対のＶ字ばね取付孔のそれぞれの中心を結んだ仮想線と重ならずオフセットしていることが好ましい（発明２）。【００１１】  左右一対のＶ字ばね取付孔が基部の両側辺部に沿って対称に設けられている場合に、アンカーボルト取付孔から左右一対のＶ字ばね取付孔のそれぞれまでの距離が等しいということは、アンカーボルト取付孔が基部の両側辺の中間線上にあるということを意味する。上記発明（発明２）によれば、照明装置固定部材を天井面に対して水平に半回転（１８０度回転）させても用いることができ、このように半回転させて用いることによりオフセット幅の分だけ異なる二つのアンカーボルトピッチに容易に対応することができる。【００１２】  上記発明（発明２）においては、前記アンカーボルト取付孔の中心から前記左右一対のＶ字ばね取付孔のそれぞれの中心を結んだ仮想線までの垂線距離が５０ｍｍであることが好ましい（発明��）。【００１３】  上記発明（発明３）によれば、二つの照明装置固定部材を正対させて用いる場合と、二つの照明装置固定部材をそれぞれ天井面に対して水平に半回転させて用いる場合とを比較すると、左右一対のＶ字ばね取付孔の位置を固定して考えると二つの照明装置固定部材のアンカーボルト取付孔間の距離を最大２００ｍｍ変動させることができるため、アンカーボルトピッチが８００ｍｍの建造物にも６００ｍｍの建造物にも用いることができる。【００１４】  上記発明（発明１〜３）においては、前記当接部が、前記基部において前記アンカーボルト取付孔が位置している側に突出するように延伸されていることが好ましい（発明４）。【００１５】  上記発明（発明４）によれば、照明装置のＶ字ばねを照明装置固定部材のＶ字ばね取付孔に掛止し、照明装置固定部材に鉛直下方向の荷重がかかった場合に、突出した当接部がアンカーボルト取付孔を中心にしてＶ字ばね取付孔の反対側にあるため、その突出した当接部が開口部端縁部に押し付けられるため、照明装置の取付状態を安定したものとすることができる。【００１６】  第二に本発明は、請求項１〜４のいずれか１項に記載の照明装置固定部材を二つ用いて一つの照明装置を天井面に取り付けた照明システムを提供する（発明５）。
【発明の効果】
【００１７】  本発明の照明装置取付部材は、従来同様の取付性能を維持しつつも部材全体の軽量化を実現し、かつ製造コストを下げることができるものとなっている。また、軽量化及びコストダウンにつながる構造でありながら、異なる二つのアンカーボルトピッチに対応することができる。
【図面の簡単な説明】
【００１８】
【図１】本実施形態に係る照明装置固定部材の構造を示す斜視図である。
【図２】同照明装置固定部材の構造を示す平面図である。
【図３】同照明装置固定部材をアンカーボルトに取り付けた状態を示す説明図である。
【図４】同照明装置固定部材に取り付けられる発光部ユニットの構造を示す説明図である。
【図５】発光部ユニットの発光部の構造を示す説明図である。
【図６】発光部ユニットに設けられたＶ字ばねの構造を示す説明図である。
【図７】同照明装置固定部材を二つ用いることにより異なるアンカーボルトピッチに対応する様子を示す模式図である。
【発明を実施するための形態】
【００１９】  以下、本発明の実施形態を図面に基づいて詳細に説明する。図１は本実施形態に係る照明装置固定部材１の構造を示す斜視図であり、図２は平面図である。照明装置固定部材１は、平板状の基部２と、基部２の対向する両側辺２１ａ、２１ｂに設けられた当接部３ａ、３ｂとから構成されている。照明装置固定部材１は、例えば鋼板のベンダー加工やロール鋼板のロールフォーミングによって製造されるが、これに限られるものではなく、例えば押し出し成形によって製造されるアルミニウム合金製であってもよい。基部２と当接部３ａ、３ｂとは一体的に成形されていることが好ましいが、別々に製造された後に溶接等の手段で一体化されたものであってもよい。
【００２０】  基部２は平面視略矩形の平板形状を有しており、発光部ユニット１００（照明装置）に設けられたＶ字ばね４０を掛止する左右一対のＶ字ばね取付孔４ａ、４ｂと、建造物躯体から鉛直下方向に延設されたアンカーボルトＢが挿通されるアンカーボルト取付孔５とが穿設されている。
【００２１】  Ｖ字ばね取付孔４ａ、４ｂはやや細長い長孔形状を有しており、図２に示すように、基部２の対向する両側辺２１ａ、２１ｂに沿って対称に設けられている。また、アンカーボルト取付孔５は楕円に近い長孔形状を有しており（長軸の長さ２０ｍｍ）、基部２の両側辺２１ａ、２１ｂに挟まれた二つの辺（上辺２１ｃ及び下辺２１ｄ）のうちの下辺２１ｄの近傍に、両側辺２１ａ、２１ｂの中間線上に位置するように設けられている。
【００２２】  上述のようにＶ字ばね取付孔４ａ、４ｂ及びアンカーボルト取付孔５が設けられていることにより、アンカーボルト取付孔５からＶ字ばね取付孔４ａまでの距離と、アンカーボルト取付孔５からＶ字ばね取付孔４ｂまでの距離が等しくなっており、かつアンカーボルト取付孔５が左右一対のＶ字ばね取付孔４ａ、４ｂのそれぞれの中心を結んだ仮想線Ｈと重ならずオフセットしているという位置関係になっている。また、本実施形態においては、アンカーボルト取付孔５から左右一対のＶ字ばね取付孔４ａ、４ｂのそれぞれの中心を結んだ仮想線Ｈまでの垂線距離Ｌ（すなわちオフセット幅）が５０ｍｍになっている。
【００２３】  当接部３ａ、３ｂは、断面Ｌ字形状の長尺部材であり、基部２の対向する両側辺２１ａ、２１ｂに対称かつ同一形状で延設されている。具体的には当接部３ａ、３ｂは、基部２に対して垂直に立ち上げられた側壁部３１ａ、３１ｂと、側壁部３１ａ、３１ｂの基部２とは逆側の端部を外側に向かって直角に折り曲げて延設されたフランジ部３２ａ、３２ｂとから構成されている。また、当接部３ａ、３ｂは、基部２においてアンカーボルト取付孔５が位置している側（すなわち、基部２の下辺２１ｄ側）に突出するように延伸されている。
【００２４】  照明装置固定部材１は、図３に示すように、アンカーボルトＢに取り付けられる。アンカーボルトＢは建造物躯体から鉛直下方向に延設されており、本実施形態では、天井面Ｃにおいて、アンカーボルトＢが二本覗くような位置に開口部Ｗが設けられている。アンカーボルトＢをアンカーボルト取付孔５に挿通し、当接部３ａ、３ｂが開口部Ｗの対向する二つの端縁部にそれぞれ当接した状態で、照明装置固定部材１がナット６でアンカーボルトＢに固定される。このとき当接部３ａ、３ｂの側壁部３１ａ、３１ｂは開口部Ｗの側壁に、当接部３ａ、３ｂのフランジ部３２ａ、３２ｂは開口部Ｗの周りの天井面Ｃに当接している。この状態で側壁部３１ａ、３１ｂを開口部Ｗの側壁にネジ止め等の固定手段で固定することもでき、またフランジ部３２ａ、３２ｂを開口部Ｗの周りの天井面Ｃにネジ止め等の固定手段で固定することもできる。
【００２５】  本実施形態においては、照明装置固定部材１を二つ用いて発光部ユニット１００が天井面Ｃに設置される。発光部ユニット１００はいわゆる平板照明装置であり、図４に示すように、発光部１０と、外枠部材２０と、補強部材３０と、Ｖ字ばね４０と、電源ユニット５０とから構成されている。
【００２６】  発光部１０は、図５に示すように、導光板１１と反射シート１２との積層構造を有し、導光板１１の側端部に光源１３が配置されてなるものである。発光部１０を構成する導光板１１は平面視矩形の平板状であり、図５における下側の平板面に出射光面１１１を有する。導光板１１は、例えばアクリル樹脂等の公知の透明樹脂から形成され、光源１３から側端面に入射された光を出射光面１１１から面状に出射するように反射加工されている。
【００２７】  導光板１１の出射光面１１１とは反対側の平板面、すなわち出射光面１１１の裏側には反射シート１２が積層されている。反射シート１２は、例えば厚さ０．５ｍｍ程度の薄いアルミ板又は樹脂のシートから形成され、導光板１１の平板面全体を覆うように積層されている。
【００２８】  光源１３は長尺状のＬＥＤ基板（不図示）に複数のＬＥＤ（不図示）を所定の間隔で配列してなるものであり、導光板１１の一つの側端面に対向するように配置されている。
【００２９】  外枠部材２０は、反射シート１２を積層した導光板１１の側端面を四辺が取り囲むように発光部１０が嵌め込まれる平面視矩形のフレーム部材であり、光源１３は当該外枠部材２０内部に収容される。外枠部材２０は例えば鋼板のベンダー加工やロール鋼板のロールフォーミングによって製造されるが、これに限られるものではなく、例えば押し出し成形によって製造されるアルミニウム合金製であってもよい。
【００３０】  補強部材３０は細長い平板形状を有する長尺状の部材であり、外枠部材２０の対向する二つの長辺をわたすように配置され、両端部が外枠部材２０の対向する二つの長辺に固定されている。補強部材３０も外枠部材２０同様に、例えば鋼板のベンダー加工やロール鋼板のロールフォーミングによって製造されるが、これに限られるものではなく、例えば押し出し成形によって製造されるアルミニウム合金製であってもよい。
【００３１】  外枠部材２０には、発光部ユニット１００を、天井面Ｃに設けられた開口部Ｗに取り付けられた二つの照明装置固定部材１に脱着自在に取り付けるためのＶ字ばね４０が合計四つ設けられている。具体的には、外枠部材２０の対向する二つの長辺上にそれぞれ二つずつのＶ字ばね４０が対称に設けられており、各長辺上の二つのＶ字ばね４０は７００ｍｍ離して配置されている。
【００３２】  Ｖ字ばね４０は一本の金属線を曲げてＶ字形状に形成されるものであり、図６に示すように、金属線が複数回コイル巻きされた巻き部４１と、巻き部４１の両端から延設された一対のアーム部４２と、アーム部４２のそれぞれの先端部を鉤状に曲げて形成されたアーム端４３とからなる。アーム端４３は一対のアーム部４２のＶ字形状の外側方向に突出するように設けられている。Ｖ字ばね４０は、巻き部４１に外枠部材２０に設けられた取付爪２０１を通すようにして、外枠部材２０に取り付けられている。
【００３３】  電源ユニット５０は、開口部Ｗ内の電源ケーブル（図示しない）に繋がれ、ＬＥＤをＤＣ（直流）電圧で駆動するためにＡＣ（交流）電圧をＤＣ電圧に変換して発光部１０へと電源送給するためのものである。
【００３４】  照明装置固定部材１を二つ用いて一つの発光部ユニット１００を天井面Ｃに設置する様子を、図７を参照しながら説明する。本実施形態に係る照明装置固定部材１を用いることにより、アンカーボルトピッチが８００ｍｍである建造物の天井面に発光部ユニット１００を設置する場合にも、アンカーボルトピッチが６００ｍｍである建造物の天井面に発光部ユニット１００を設置する場合にも対応可能である。
【００３５】  図７（ａ）に示すように、従来の照明装置固定部材は天井面Ｃに設けられた開口部Ｗとほぼ同じくらいの大きさを有しており、アンカーボルトピッチが８００ｍｍの建造物の場合に使用するアンカーボルト取付孔二つと、アンカーボルトピッチが６００ｍｍの建造物の場合に使用するアンカーボルト取付孔二つの合計四つのアンカーボルト取付孔が設けられたものであるか、あるいはアンカーボルトピッチが８００ｍｍの建造物用固定部材とアンカーボルトピッチが６００ｍｍの建造物用固定部材という二つの固定部材を使い分けるかしていた。
【００３６】  アンカーボルトピッチが８００ｍｍの建造物の場合は、図７（ｂ）に示すように、本実施形態に係る照明装置固定部材１二つ（以下、左側を１Ｌ、右側を１Ｒと表記する。）を当接部３ａ、３ｂがそれぞれ外側に向かって突出するように二本のアンカーボルトＢにそれぞれ取り付ける。照明装置固定部材１のアンカーボルト取付孔５から左右一対のＶ字ばね取付孔４ａ、４ｂのそれぞれの中心を結んだ仮想線Ｈまでの垂線距離Ｌは５０ｍｍであるから、このように二つの照明装置固定部材１Ｌ、１ＲをアンカーボルトＢに取り付ければ、左側の照明装置固定部材１ＬのＶ字ばね取付孔４ａ、４ｂのそれぞれの中心を結んだ仮想線Ｈから、右側の照明装置固定部材１ＲのＶ字ばね取付孔４ａ、４ｂのそれぞれの中心を結んだ仮想線Ｈまでの距離は７００ｍｍとなる。発光部ユニット１００の各長辺上の二つのＶ字ばね４０は７００ｍｍ離して配置されているため、発光部ユニット１００の四つのＶ字ばね４０を二つの照明装置固定部材１Ｌ、１ＲそれぞれのＶ字ばね取付孔４ａ、４ｂに掛止することができる。
【００３７】  次に、アンカーボルトピッチが６００ｍｍの建造物の場合は、図７（ｃ）に示すように、二つの照明装置固定部材１Ｌ、１Ｒを当接部３ａ、３ｂがそれぞれ内側に向かって突出するように二本のアンカーボルトＢにそれぞれ取り付ける。このように二つの照明装置固定部材１Ｌ、１ＲをアンカーボルトＢに取り付ければ、左側の照明装置固定部材１ＬのＶ字ばね取付孔４ａ、４ｂのそれぞれの中心を結んだ仮想線Ｈから、右側の照明装置固定部材１ＲのＶ字ばね取付孔４ａ、４ｂのそれぞれの中心を結んだ仮想線Ｈまでの距離は、図７（ｂ）と同様にやはり７００ｍｍとなる。発光部ユニット１００の各長辺上の二つのＶ字ばね４０は７００ｍｍ離して配置されているため、発光部ユニット１００の四つのＶ字ばね４０を二つの照明装置固定部材１Ｌ、１ＲそれぞれのＶ字ばね取付孔４ａ、４ｂに掛止することができる。
【００３８】  本実施形態に係る照明装置固定部材１は、アンカーボルト取付孔５が基部２の両側辺２１ａ、２１ｂの中間線上にあるため、上述のように照明装置固定部材１を天井面Ｃに対して水平に半回転（１８０度回転）させても用いることができる。このように半回転させて用いることにより一つの照明装置固定部材１においてオフセット幅の２倍（図７（ｂ）（ｃ）の本実施形態においては垂線距離Ｌ×２＝１００ｍｍ）の分だけ異なる二つのアンカーボルトピッチに容易に対応することができる。すなわち、二つの照明装置固定部材１Ｌ、１Ｒを正対させて用いる場合と、二つの照明装置固定部材１Ｌ、１Ｒをそれぞれ天井面Ｃに対して水平に半回転させて用いる場合とを比較すると、左右一対のＶ字ばね取付孔４ａ、４ｂの位置を固定して考えると二つの照明装置固定部材１Ｌ、１Ｒのアンカーボルト取付孔５間の距離を最大２００ｍｍ変動させることができるため、アンカーボルトピッチが８００ｍｍの建造物にも６００ｍｍの建造物にも用いることができる。なお、二つの照明装置固定部材１Ｌ、１Ｒのうち片方だけを半回転させて用いれば、アンカーボルトピッチが７００ｍｍの建造物にも用いることができる。またアンカーボルト取付孔５は長孔であるので（長軸の長さ２０ｍｍ）、アンカーボルトピッチが施工時に多少ずれたとしても対応できるようになっている。
【００３９】  本実施形態に係る照明装置固定部材１によれば、照明装置固定部材１の両側の当接部３ａ、３ｂが室内天井面Ｃに設けられた開口部Ｗの端縁部に当接し、この状態で当接部３ａ、３ｂを開口部Ｗの端縁部に固定することができるため、発光部ユニット１００の重さをアンカーボルトＢのみならず室内天井面Ｃの開口部Ｗの端縁部を含む合計三箇所で安定的に支えることができる。そのため、従来同様の取付性能を維持したまま、それぞれの照明装置固定部材１の大きさを小さくすることにより軽量化を図り、製造コストを低減することができる。
【００４０】  また、当接部３ａ、３ｂが基部２のアンカーボルト取付孔５が位置している側に突出するように延伸されており、突出した当接部３ａ、３ｂがアンカーボルト取付孔５を中心にしてＶ字ばね取付孔４ａ、４ｂの反対側にあることにより、発光部ユニット１００のＶ字ばね４０を照明装置固定部材１のＶ字ばね取付孔４ａ、４ｂに掛止し、照明装置固定部材１に鉛直下方向の荷重がかかった場合に、突出した当接部３ａ、３ｂが開口部Ｗの端縁部に押し付けられるため、照明装置の取付状態を安定したものとすることができる。
【００４１】  以上、本発明に係る照明装置について図面に基づいて説明してきたが、本発明は上記実施形態に限定されることはなく、種々の変更実施が可能である。
【符号の説明】
【００４２】１  照明装置固定部材２  基部３ａ、３ｂ  当接部４ａ、４ｂ  Ｖ字ばね取付孔５  アンカーボルト取付孔  ６  ナット１００  発光部ユニット  １０  発光部    １１  導光板      １１１  出射光面    １２  反射シート    １３  光源  ２０  外枠部材    ２０１  取付爪  ３０  補強部材  ４０  Ｖ字ばね  ５０  電源ユニットＣ  天井面Ｗ  開口部Ｂ  アンカーボルト
【図１】
2017150647.tif 000003
【図２】
2017150647.tif 000004
【図３】
2017150647.tif 000005
【図４】
2017150647.tif 000006
【図５】
2017150647.tif 000007
【図６】
2017150647.tif 000008
【図７】
2017150647.tif 000009
【国際調査報告】
2017150647.tif 000010
2017150647.tif 000011